(57)【特許請求の範囲】
【請求項１】
バヨネット爪部を備える撮像装置本体に対して交換レンズを着脱するために前記交換レンズに設けられるレンズマウントであって、
前記撮像装置本体に設けられるマウント面に当接するレンズ側マウント面と、第１のねじ部とを有し、前記交換レンズに設けられる固定部に固定される固定マウント部と、
前記バヨネット爪部と係合する爪部と、前記第１のねじ部と螺合する第２のねじ部とを有する可動マウント部と、を備え、
前記マウント面と前記レンズ側マウント面とが当接し、且つ、前記バヨネット爪部と前記爪部とが光軸投影上で重なっていない状態から光軸回りに前記可動マウント部を回転させたときに、前記第１のねじ部と前記第２のねじ部との螺合にしたがって前記可動マウント部が光軸方向を前記固定部および前記固定マウント部に向かって移動することにより、前記爪部が前記バヨネット爪部と係合し、
前記第１のねじ部は、前記固定マウント部の内周側に設けられた雌ねじであり、
前記第２のねじ部は、前記可動マウント部の外周側に設けられた雄ねじであることを特徴とするレンズマウント。
【請求項２】
前記光軸方向において、前記可動マウント部の前記爪部は、前記固定マウント部よりも、前記固定部から離れており、
前記可動マウント部の前記爪部は、前記第１のねじ部と前記第２のねじ部との螺合にしたがって、前記光軸方向において、前記固定マウント部に向かって移動することを特徴とする請求項１に記載のレンズマウント。
【請求項３】
前記爪部は、前記マウント面と前記レンズ側マウント面よりも内周側で前記バヨネット爪部と係合するように前記可動マウント部に設けられていることを特徴とする請求項２に記載のレンズマウント。
【請求項４】
前記可動マウント部に対して光軸と直行する方向に突設され、光軸回りに回転させることで前記可動マウント部を光軸回りに回転させることができる腕部と、
前記固定マウント部において、前記腕部と当接することによって前記腕部の光軸を中心とした回動が可能な角度を規制する当接面と、を有することを特徴とする請求項１乃至３のいずれか１項に記載のレンズマウント。
【請求項５】
前記固定マウント部は、周方向に沿って一定の幅で形成された溝部を有し、
前記腕部は、前記溝部に挿通された状態で前記可動マウント部に突設され、
前記当接面は、前記溝部の長さ方向端の側面であることを特徴とする請求項４に記載のレンズマウント。
【請求項６】
前記腕部は、前記爪部と前記バヨネット爪部とが当接した状態から更に光軸回りに、一定角度、回動した後に前記溝部の長さ方向端の一方の側面と当接することを特徴とする請求項５に記載のレンズマウント。
【請求項７】
前記固定マウント部は、前記撮像装置本体との電気的な接続に用いる第１の接点部を有し、
前記レンズマウントは、前記光軸方向から見たときに、前記バヨネット爪部と前記爪部とが光軸投影上で重なっていない第１の状態から、前記可動マウント部を回転させることによって前記バヨネット爪部と前記爪部とが光軸投影上で重なる第２の状態に移動することができ、
前記第１の接点部は、前記レンズマウントの前記第１の状態および前記第２の状態の双方において、前記撮像装置本体に設けられた第２の接点部と接触していることを特徴とする請求項１乃至６のいずれか１項に記載のレンズマウント。
【請求項８】
前記固定マウント部に、光軸回りに前記可動マウント部を回転させたときの回転角度に応じて前記第１の接点部と前記第２の接点部との間の通信のオン／オフを切り替える回転検出部が設けられ、
前記第１の接点部と前記第２の接点部との間の通信の前記回転検出部によるオン／オフを切り替る切り欠き部が前記可動マウント部に設けられていることを特徴とする請求項７に記載のレンズマウント。
【請求項９】
請求項１乃至８のいずれか１項に記載のレンズマウントと、
前記レンズマウントの前記固定マウント部が固定される鏡筒部と、を備えることを特徴とする交換レンズ。
【請求項１０】
バヨネット爪部と、マウント面とを有するマウント部を備える撮像装置本体と、
鏡筒部と、前記マウント部に対して着脱自在なレンズマウントを備える交換レンズと、を有する撮像装置であって、
前記レンズマウントは、
前記マウント面に当接するレンズ側マウント面と、第１のねじ部とを有し、前記鏡筒部に設けられる固定部に固定される固定マウント部と、
前記バヨネット爪部と係合する爪部と、前記第１のねじ部と螺合する第２のねじ部とを有する可動マウント部と、を備え、
前記マウント面と前記レンズ側マウント面とが当接し、且つ、前記バヨネット爪部と前記爪部とが光軸投影上で重なっていない状態から光軸回りに前記可動マウント部を回転させたときに、前記第１のねじ部と前記第２のねじ部との螺合にしたがって前記可動マウント部が光軸方向を前記固定部および前記固定マウント部に向かって移動することにより、前記爪部が前記バヨネット爪部と係合して、前記マウント部は前記光軸方向において前記可動マウント部と前記固定マウント部に挟持され、
前記第１のねじ部は、前記固定マウント部の内周側に設けられた雌ねじであって、
前記第２のねじ部は、前記可動マウント部の外周側に設けられた雄ねじであることを特徴とする撮像装置。
【発明の詳細な説明】
【技術分野】
【０００１】
本発明は、撮像装置本体と交換レンズとの着脱を可能にするレンズマウントの構造に関する。
【背景技術】
【０００２】
撮影シーンに合わせて画角や焦点深度、Ｆ値等を変えて撮影を行うことができるように、単焦点レンズやズームレンズ、広角レンズ、望遠レンズ、マクロレンズ等の各種交換レンズの着脱が可能な撮像装置が知られている。交換レンズを撮像装置本体に対して着脱自在とするためのレンズマウント方式としては、バヨネット式レンズマウントが広く用いられている。バヨネット式レンズマウントでは、一般的に、撮像装置本体に設けられたマウント面に爪形状部が形成され、また、交換レンズのマウント面にも爪形状部が形成される。交換レンズを撮像装置本体に装着する際には、互いのマウント面を当接させた状態で交換レンズと撮像装置本体とを交換レンズの光軸回りに相対的に回転させることで、互いの爪形状部を嵌合させる。このとき、撮像装置本体に内蔵されたバネ部材が交換レンズの爪形状部を撮像装置本体の内部に向けて付勢することにより、交換レンズは撮像装置本体に付勢され、これにより交換レンズは撮像装置本体に保持される（特許文献１参照）。
【先行技術文献】
【特許文献】
【０００３】
【特許文献１】特開２００４−１０２００５号公報
【発明の概要】
【発明が解決しようとする課題】
【０００４】
しかしながら、従来のバヨネット式レンズマウントでは、バネ部材の付勢力により交換レンズを保持しているため、バネ部材の撓みの分だけ交換レンズにがたつきが生じるという問題がある。特に、交換レンズのがたつきは、撮像装置本体に大型の交換レンズが装着されたときに交換レンズと撮像装置本体との結合部で生じやすく、これによって撮影画像の画質が低下するおそれがある。
【０００５】
本発明は、交換レンズが撮像装置本体に取り付けられた状態での交換レンズのがたつきを抑制することができるレンズマウントを提供することを目的とする。
【課題を解決するための手段】
【０００６】
本発明に係るレンズマウントは、バヨネット爪部を備える撮像装置本体に対して交換レンズを着脱するために前記交換レンズに設けられるレンズマウントであって、前記撮像装置本体に設けられるマウント面に当接するレンズ側マウント面と、第１のねじ部とを有し、前記交換レンズに設けられる固定部に固定される固定マウント部と、前記バヨネット爪部と係合する爪部と、前記第１のねじ部と螺合する第２のねじ部とを有する可動マウント部と、を備え、前記マウント面と前記レンズ側マウント面とが当接し、且つ、前記バヨネット爪部と前記爪部とが光軸投影上で重なっていない状態から光軸回りに前記可動マウント部を回転させたときに、前記第１のねじ部と前記第２のねじ部との螺合にしたがって前記可動マウント部が光軸方向を前記固定部および前記固定マウント部に向かって移動することにより、前記爪部が前記バヨネット爪部と係合し、前記第１のねじ部は、前記固定マウント部の内周側に設けられた雌ねじであり、前記第２のねじ部は、前記可動マウント部の外周側に設けられた雄ねじであることを特徴とする。
【発明の効果】
【０００７】
本発明は、交換レンズが撮像装置本体に取り付けられた状態において交換レンズのがたつきを抑えることができる。
【図面の簡単な説明】
【０００８】
【図１】本発明の実施形態に係る撮像装置の概略構成を示す斜視図である。
【図２】図１に示すカメラ本体と交換レンズとの結合部の構造を被写体側から見て示す分解斜視図である。
【図３】図１に示すカメラ本体と交換レンズとの結合部の構造をカメラ本体側から見て示す分解斜視図である。
【図４】図１に示すカメラ本体のマウント部の概略構成を示す正面斜視図、交換レンズの可動マウント部と固定マウント部の概略構成を示す斜視図、交換レンズの可動マウント部の構成を示す正面図である。
【図５】図１に示す交換レンズが有するレンズマウントの要素をカメラ本体に対する着脱面側から見て示す斜視図である。
【図６】図１に示すカメラ本体に交換レンズを取り付けるときのカメラ側マウント部に対するレンズマウントの要素の動きを経時的に示す背面図である。
【図７】図６の各図に対応する断面図である。
【図８】図１に示すカメラ本体に交換レンズを取り付けるときの腕部の動きを経時的に示す正面図である。
【発明を実施するための形態】
【０００９】
以下、本発明の実施形態について、添付図面を参照して詳細に説明する。図１は、本発明の実施形態に係る撮像装置の概略構成を示す斜視図である。撮像装置は、撮像素子１４０を備える撮像装置本体１００（以下「カメラ本体１００」と記す）と、カメラ本体１００に対して着脱自在な交換レンズ２００とを有する。交換レンズ２００は、交換レンズ２００をカメラ本体１００に対して着脱自在とするためのレンズマウント１５０を有する。なお、図１では、交換レンズ２００については、大部分の図示を省略している。交換レンズ２００は制限されるものではないが、レンズマウント１５０が奏する後述の効果は、大型の交換レンズ（大きい交換レンズ、重い交換レンズ）である場合に、より顕著に得ることができる。
【００１０】
図２は、カメラ本体１００と交換レンズ２００との結合部の構造を被写体側から見て示す分解斜視図である。また、図３は、カメラ本体１００と交換レンズ２００との結合部の構造をカメラ本体１００側から見て示す分解斜視図である。図４（ａ）は、カメラ本体１００に設けられるカメラ側マウント部１１０の概略構成を示す正面斜視図（被写体側から見て示す斜視図）である。図４（ｂ）は、交換レンズ２００の可動マウント部４２０と固定マウント部４１０の概略構成を示す斜視図である。図４（ｃ）は、交換レンズ２００の可動マウント部４２０の構成を示す正面図（被写体側から見た図）である。
【００１１】
交換レンズ２００の背面側には、カメラ本体１００に着脱するためのレンズマウント１５０が設けられている。一方、カメラ本体１００には、交換レンズ２００に設けられたレンズマウント１５０が着脱されるカメラ側マウント部１１０が設けられる。カメラ側マウント部１１０は、カメラ側マウント面１１１、バヨネット爪部１１２ａ，１１２ｂ，１１２ｃ及び開口部１１５を有する。バヨネット爪部１１２ａ〜１１２ｃはそれぞれ、バヨネット爪接触面１１３ａ，１１３ｂ，１１３ｃを有する。カメラ側マウント部１１０がカメラ本体１００に固定された状態で、交換レンズ２００と電気的に双方向で通信を行うための第１の通信接点部品１１４が、カメラ側マウント部１１０と接触するようにカメラ本体１００に固定される。
【００１２】
交換レンズ２００が備えるレンズマウント１５０は、固定部２１０、固定マウント部４１０、可動マウント部４２０、腕部４９０、第２の通信接点部品４４０及び回転検出部４８０を有する。固定部２１０は、交換レンズ２００において凸レンズや凹レンズ等の光学部品を保持した不図示のレンズ鏡筒部に固定されると共に、固定マウント部４１０と結合される。固定部２１０は、締結部２１１ａ，２１１ｂ，２１１ｃ，２１１ｄを有し、締結部２１１ａ〜２１１ｄのそれぞれには、ビス止めのためのタップが切られている。第２の通信接点部品４４０と回転検出部４８０は固定マウント部４１０に固定される。第２の通信接点部品４４０と回転検出部４８０の機能については後述する。
【００１３】
固定マウント部４１０は、レンズ側マウント面４１１、円筒部４１２、雌ねじ部４１５（第１のねじ部）、貫通穴部４１８ａ，４１８ｂ，４１８ｃ，４１８ｄ、第１の当接面４１６及び第２の当接面４１７を有する。レンズ側マウント面４１１は、交換レンズ２００がカメラ本体１００に装着されたときに、カメラ側マウント部１１０のカメラ側マウント面１１１と当接する。円筒部４１２は、カメラ側マウント部１１０の開口部１１５に挿通される。雌ねじ部４１５は、後述する可動マウント部４２０の雄ねじ部４２２と螺合する。貫通穴部４１８ａ〜４１８ｄのそれぞれにビスが挿通され、各ビスが固定部２１０の締結部２１１ａ〜２１１ｄに締結されることで、固定マウント部４１０は固定部２１０に固定される。第１の当接面４１６及び第２の当接面４１７は、固定マウント部４１０の周方向に沿って一定の幅で形成された溝部の長さ方向端の側面であり、後述するように、腕部４９０の回動角度（可動マウント部４２０の回転角度）を制限する役割を担う。
【００１４】
可動マウント部４２０は、爪部４２１ａ，４２１ｂ，４２１ｃ、雄ねじ部４２２（第２のねじ部）及び締結部４２６を有する。爪部４２１ａ〜４２１ｃはそれぞれ、カメラ側マウント部１１０のバヨネット爪部１１２ａ〜１１２ｃと係合し、そのために、バヨネット爪接触面１１３ａ〜１１３ｃと接触する爪接触面４２７ａ，４２７ｂ，４２７ｃを有する。雄ねじ部４２２は、前述したように、固定マウント部４１０の雌ねじ部４１５と螺合する。腕部４９０は、固定マウント部４１０に設けられた溝部に挿通された状態で、可動マウント部４２０に対して光軸と直交する方向に突設される。よって、腕部４９０は、固定マウント部４１０に設けられた溝部の長さ方向に沿って回動可能となる。腕部４９０は、腕部当接面４９１及びねじ部４９２を有し、ねじ部４９２を締結部４２６に締結することにより腕部４９０は可動マウント部４２０に固定される。なお、締結部４２６には、ねじ部４９２と螺合するタップが切られている。腕部当接面４９１は円筒状に形成されており、その機能については後述する。
【００１５】
図５は、レンズマウント１５０の構成要素をカメラ本体１００に対する着脱面側から見て示す斜視図である。交換レンズ２００がカメラ本体１００に取り付けられると、カメラ本体１００に固定された第１の通信接点部品１１４と交換レンズ２００のレンズマウント１５０に設けられた第２の通信接点部品４４０とが、一定の力で接触して導通状態となる。これにより、カメラ本体１００から交換レンズ２００への給電が行われ、交換レンズ２００とカメラ本体１００との間で制御信号の送受信が可能になる。なお、第２の通信接点部品４４０は、固定マウント部４１０に固定される。回転検出部４８０は、可動マウント部４２０に設けられた切り欠き部４２９により、第１の通信接点部品１１４と第２の通信接点部品４４０との通信のオン／オフを切り替える。
【００１６】
次に、交換レンズ２００のカメラ本体１００に対する着脱時におけるレンズマウント１５０とカメラ側マウント部１１０の各要素の動きについて説明する。図６は、交換レンズ２００をカメラ本体１００に取り付けるときのカメラ側マウント部１１０に対するレンズマウント１５０の要素の動きを経時的に示す背面図（撮像素子１４０側から見た図）である。図７は、図６の各図に対応する断面図である。
【００１７】
図６（ａ）は、カメラ本体１００に対する交換レンズ２００の着脱操作が可能な状態を示している。図７（ａ）は、図６（ａ）中に示す矢視Ａ−Ａの断面図である。カメラ本体１００に対して交換レンズ２００を装着する際、交換レンズ２００の円筒部４１２をカメラ側マウント部１１０の開口部１１５に挿通させ、カメラ本体１００のカメラ側マウント面１１１と交換レンズ２００のレンズ側マウント面４１１とを当接させる。つまり、光軸方向から見たときに可動マウントの爪部４２１ａ〜４２１ｃがカメラ側マウント部１１０のバヨネット爪部１１２ａ〜１１２ｃと重ならないように、交換レンズ２００のレンズマウント１５０をカメラ側マウント部１１０に対して落とし込む。したがって、図６（ａ）の状態では、カメラ側マウント部１１０のバヨネット爪部１１２ａ〜１１２ｃと可動マウントの爪部４２１ａ〜４２１ｃとは光軸投影上で重なっていない。
【００１８】
図６（ｂ）は、図６（ａ）の状態から可動マウント部４２０を固定マウント部４１０に対して撮像素子１４０側から見て時計回りに、光軸を回転中心軸として所定角度、回転させた状態を示している。なお、可動マウント部４２０の回転方法については後述する。図７（ｂ）は、図６（ｂ）中に示す矢視Ｂ−Ｂの断面図である。固定マウント部４１０の雌ねじ部４１５と可動マウント部４２０の雄ねじ部４２２とは螺合しているため、可動マウント部４２０の爪部４２１ａ〜４２１ｃは、可動マウント部４２０の回転にしたがって光軸方向に沿って固定部２１０に向かって移動する。よって、図６（ｂ）の状態では、バヨネット爪部１１２ａ〜１１２ｃの一部がそれぞれ、爪部４２１ａ〜４２１ｃに対して光軸投影上で重なっている。ここで、図７（ｂ）に示すように、カメラ側マウント部１１０のカメラ側マウント面１１１とバヨネット爪接触面１１３ａの間距離を「距離α」とする。また、固定マウント部４１０のレンズ側マウント面４１１と可動マウント部４２０の爪接触面４２７ａとの間の距離を「距離β」とする。レンズマウント１５０のカメラ側マウント部１１０に対する結合が完了していない図７（ｂ）の状態では、距離α＜距離β、の関係となり、バヨネット爪接触面１１３ａと爪接触面４２７ａとの間に隙間が生じている。
【００１９】
図６（ｃ）は、可動マウント部４２０の光軸回りの回転が終了した状態を示している。図７（ｃ）は、図６（ｃ）中に示す矢視Ｃ−Ｃの断面図である。可動マウント部４２０の回転が終了すると、可動マウント部４２０の爪部４２１ａ〜４２１ｃの爪接触面４２７ａ〜４２７ｃとカメラ側マウント部１１０のバヨネット爪部１１２ａ〜１１２ｃのバヨネット爪接触面１１３ａ〜１１３ｃとが接触（密着）する。つまり、距離α＝距離β、の関係となってバヨネット爪接触面１１３ａと爪接触面４２７ａとの間に隙間がなくなり、カメラ側マウント部１１０は、光軸方向において可動マウント部４２０と固定マウント部４１０に強固に挟持される。こうして、交換レンズ２００は、カメラ本体１００に対してがたつきのない状態で撮影可能に結合された状態となる。
【００２０】
ここで、交換レンズ２００のレンズマウント１５０を従来の不図示の従来のレンズマウントと比較する。従来のねじ式レンズマウントでは、可動マウント部４２０の爪接触面４２７ａ〜４２７ｃとカメラ側マウント部１１０のバヨネット爪接触面１１３ａ〜１１３ｃの役割を担う面を、交換レンズのレンズ側マウント面を延設することによって設ける必要がある。そのため、ねじ式レンズマウントは、交換レンズの小型化に不向きである。一方、従来のバヨネット式レンズマウントでは、交換レンズの回転完了時に交換レンズ側の爪接触面と撮像装置本体側のバヨネット爪接触面との間に隙間が生じるため、交換レンズのレンズマウントをバネ部材により撮像装置本体のマウント部へ押し当てている。このようにバネ部材を用いた場合、バネ部材の撓み分だけ交換レンズはがたつくことになってしまう。
【００２１】
これに対して、本実施形態では、レンズマウント１５０がカメラ側マウント部１１０に結合されたときに、可動マウント部４２０の爪接触面４２７ａ〜４２７ｃとカメラ側マウント部１１０のバヨネット爪接触面１１３ａ〜１１３ｃとの間に隙間は生じない。つまり、交換レンズ２００のレンズマウント１５０は、レンズ側マウント面４１１の内周側に、交換レンズ２００をカメラ本体１００に対して確実に固定する構造を持つ。よって、交換レンズ２００は、ねじ式レンズマウントを採用した場合よりも小型化が可能であり、従来のバヨネット式レンズマウントを採用した場合と異なり、カメラ本体１００に対する交換レンズ２００にがたつきは生じない。
【００２２】
レンズマウント１５０において、雄ねじ部４２２と雌ねじ部４１５とは、例えば、右ねじ、ねじ送り量：２ｍｍ、ねじピッチ：１ｍｍ、で構成することができる。なお、交換レンズ２００をカメラ本体１００に対して取り付ける際の腕部４９０の回動方向がカメラ本体１００側から見て時計回りであれば、雄ねじ部４２２と雌ねじ部４１５は「右ねじ」となり、反時計回りであれば「左ねじ」となる。雄ねじ部４２２と雌ねじ部４１５のねじ送り量を大きくすることで、可動マウント部４２０の少ない回転操作量（腕部４９０の回動操作量）で、固定マウント部４１０を光軸方向に大きく移動させることができる。つまり、雄ねじ部４２２と雌ねじ部４１５のねじ送り量を大きくすると、可動マウント部４２０の回転操作量に対する距離βの移動量が大きくなる。例えば、カメラ側マウント部１１０の個体差に起因して距離αがばらついていたとしても、そのばらつきを上回る距離を少ない可動マウント部４２０の回転操作量で固定マウント部４１０を移動させることができるようにねじ送り量を設定する。これにより、交換レンズ２００を確実にカメラ本体１００に結合させることができる。逆に、ねじ送り量を小さくすることで、締め付け軸力を大きくすることができる。したがって、交換レンズ２００をカメラ本体１００に取り付けたときの締め付け軸力を大きくしたい場合には、ねじ送り量を小さくすることが望ましい。雄ねじ部４２２と雌ねじ部４１５のねじ送り量は、このような必要な特性とそのバランスを考慮して設定される。
【００２３】
また、雄ねじ部４２２と雌ねじ部４１５において螺合するねじ山の数を多くすると、雄ねじ部４２２と雌ねじ部４１５への応力集中を分散させることができる。よって、狭いスペースで螺合するねじ山の数を多くし、且つ、確実な結合と大きな締め付け軸力を得るためには、ねじピッチが小さく、且つ、ねじ送り量の大きい多条ねじを用いることが望ましい。なお、雄ねじ部４２２と雌ねじ部４１５との間には、摺動グリスが塗布され、これにより、雄ねじ部４２２と雌ねじ部４１５との摺動回転時のざらつきを抑えて、耐久性能と摺動性を向上させることができる。
【００２４】
図８は、交換レンズ２００をカメラ本体１００に取り付ける際に可動マウント部４２０を回転させるための腕部４９０の動きを経時的に示す図である。図８（ａ）〜（ｅ）のそれぞれに示す角度θａ〜θｅは、腕部４９０の水平軸に対する角度（以下「腕部４９０の角度」という）を示している。
【００２５】
図８（ａ）は、カメラ側マウント部１１０のバヨネット爪部１１２ａ〜１１２ｃと可動マウント部４２０の爪部４２１ａ〜４２１ｃとが光軸投影上で重なっていない状態、つまり、図６（ａ）と同じ状態を示している。このとき、交換レンズ２００はカメラ本体１００に対して着脱可能であり、固定マウント部４１０の第１の当接面４１６（図４（ｂ）参照）と腕部４９０の腕部当接面４９１とが接触している。腕部４９０の角度θａは、固定マウント部４１０に対する可動マウント部４２０の初期状態を表すパラメータとなる。
【００２６】
図８（ｂ）は、腕部４９０が光軸回りに回動操作され、バヨネット爪部１１２ａ〜１１２ｃのバヨネット爪接触面１１３ａ〜１１３ｃと爪部４２１ａ〜４２１ｃの爪接触面４２７ａ〜４２７ｃとが、光軸投影上で重なり始めた状態を示している。このとき、実際に腕部４９０を回動させた角度（可動マウント部４２０の回転角度）は、θｂ−θａ、となる。なお、以下に説明する図８（ｃ）〜（ｅ）についても、固定マウント部４１０に対する可動マウント部４２０の回転角度は同様に求められる。図８（ｂ）の状態では、図６（ｂ）の状態と同様に、バヨネット爪接触面１１３ａと爪接触面４２７ａとの間には、光軸方向において隙間が生じている。一方、レンズマウント１５０とカメラ側マウント部１１０の互いの爪部が光軸投影上で重なり合っているため、交換レンズ２００がカメラ本体１００から脱落することはない。そのため、第１の通信接点部品１１４と第２の通信接点部品４４０との通信をオン／オフするための回転検出部４８０は、図８（ｂ）の状態となった後にオン状態となる位置に設けることが望ましい。
【００２７】
図８（ｃ）は、図８（ｂ）の状態から腕部４９０が光軸回りに更に回動操作され、最小の腕部４９０の回動操作量で、バヨネット爪接触面１１３ａ〜１１３ｃと爪接触面４２７ａ〜４２７ｃとが接触した状態を示している。腕部４９０の角度θｃは、バヨネット爪接触面１１３ａ〜１１３ｃと爪接触面４２７ａ〜４２７ｃが最小の係り量で接触するときの角度である。また、腕部４９０の角度θｃは、最小の可動マウント部４２０の光軸方向での移動量で、バヨネット爪接触面１１３ａ〜１１３ｃと爪接触面４２７ａ〜４２７ｃとの接触が可能となる角度である。図８（ｃ）の状態となるのは、前述の図７（ｂ）に示した距離αがカメラ側マウント部１１０の個体寸法差によって最大であり、且つ、距離βが固定マウント部４１０と可動マウント部４２０の個体寸法差より最小である場合である。
【００２８】
図８（ｄ）は、図８（ｂ）の状態から腕部４９０が光軸回りに更に回動操作され、最大の腕部４９０の回動操作量で、バヨネット爪接触面１１３ａ〜１１３ｃと爪接触面４２７ａ〜４２７ｃとが接触した状態を示している。腕部４９０の角度θｄは、バヨネット爪接触面１１３ａ〜１１３ｃと爪接触面４２７ａ〜４２７ｃが最大の係り量で接触するときの角度である。図８（ｄ）の状態となるのは、前述の図７（ｂ）に示した距離αがカメラ側マウント部１１０の個体寸法差によって最小であり、且つ、距離βが固定マウント部４１０と可動マウント部４２０の個体寸法差より最大である場合である。
【００２９】
レンズマウント１５０とカメラ側マウント部１１０に個体寸法差があっても、腕部４９０の角度がθｃ〜θｄの所定の角度となったときに、バヨネット爪接触面１１３ａ〜１１３ｃと爪接触面４２７ａ〜４２７ｃとは必ず密着する。
【００３０】
図８（ｅ）は、図８（ｃ）又は図８（ｄ）の状態から腕部４９０が光軸回りに更に、一定角度、回動操作され、腕部４９０の腕部当接面４９１が固定マウント部４１０の第２の当接面４１７（図４（ｂ）参照）に接触した状態を示している。腕部４９０の角度θｅは、腕部４９０の回動が可能な最大角度である。図８（ｅ）の状態では、カメラ側マウント部１１０、固定マウント部４１０及び可動マウント部４２０のいずれかは変形していることになる。そこで、これら各部が弾性変形域を超えないようにするため、固定マウント部４１０に設けた第２の当接面４１７と腕部４９０に設けた腕部当接面４９１とを当接させている。こうして固定マウント部４１０に対する可動マウント部４２０の回転量を規制することにより、レンズマウント１５０とカメラ側マウント部１１０の変形、変形による破壊を防ぐことができる。一方、交換レンズ２００をカメラ本体１００に対して確実に結合させる必要があるために、角度θｅは角度θｄ以上（θｄ≦θｅ）の関係が成り立つように設計される。
【００３１】
上記説明の通り、本実施形態によれば、簡単な構成で、且つ、簡単な操作で、交換レンズ２００をカメラ本体１００に取り付けることができ、しかも、取り付けられた状態でカメラ本体１００に対する交換レンズ２００のがたつきをなくすことができる。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、固定部２１０をレンズマウント１５０の構成要素の１つとして説明したが、固定部２１０自体が所定のレンズを保持していても構わず、よって、交換レンズ２００を構成する鏡筒部の構成要素と考えてもよい。つまり、固定部２１０は、レンズマウント１５０を構成するための必須の要素ではなく、一方で、レンズマウント１５０を含む交換レンズ２００を構成するために必要な構成要素とみなすこともできる。
【符号の説明】
【００３３】
１００  カメラ本体（撮像装置本体）
１１０  カメラ側マウント部
１１１  カメラ側マウント面
１１２ａ〜１１２ｃ    バヨネット爪部
１１３ａ〜１１３ｃ    バヨネット爪接触面
１５０    レンズマウント
２００    交換レンズ
２１０    固定部
４１０    固定マウント部
４１１    レンズ側マウント面
４１５    雌ねじ部
４２０    可動マウント部
４２１ａ〜４２１ｃ    爪部
４２２    雄ねじ部
４２７ａ〜４２７ｃ    爪接触面
４４０    第２の通信接点部品
４８０    回転検出部
４９０    腕部
【図１】
0006685747.tif 000002
【図２】
0006685747.tif 000003
【図３】
0006685747.tif 000004
【図４】
0006685747.tif 000005
【図５】
0006685747.tif 000006
【図６】
0006685747.tif 000007
【図７】
0006685747.tif 000008
【図８】
0006685747.tif 000009